(57)【特許請求の範囲】
【請求項１】
複数本の巻取を巻き解きながら複数枚のシート状の紙を重畳させ、カッターで断裁して平判紙を製造し、包装枚数の平判紙を含む包装リームを平判包装機に包装リーム給送装置によって供給して、包装リームに包装を施す平判紙包装システムにおいて、
製造された前記平判紙に対してリームマークを付与することなく山積みしたリーム山を、前記平判包装機まで搬送し、
前記包装リーム給送装置で、前記リーム山の上部から平判紙の枚数をディスク式シートカウンタで計数し、
包装枚数単位の枚数が計数された状態で包装リームを生成して前記平判包装機に供給することを特徴とする平判紙包装システム。
【請求項２】
カッター装置で断裁されて形成され、山積みされた平判紙のリーム山を供給し、供給されたリーム山の上部から包装枚数の包装リームを平判包装機に供給するための包装リーム給送装置において、
前記リーム山の上部から包装枚数の平判紙を計数するディスク式シートカウンタと、
前記シートカウンタで計数された包装枚数の平判紙により形成される包装リームを、リーム山の上部から分離させて平判包装機に供給することを特徴とする包装リーム給送装置。
【発明の詳細な説明】
【技術分野】
【０００１】
この発明は、巻取紙からカッター装置により断裁されて製造された平判紙を、所定の枚数毎に包装紙によって包装する平判紙包装システムに関する。
【背景技術】
【０００２】
抄紙機では、紙は紙シートとして製造され、該紙シートがリールに巻き取られた状態で巻取として完成する。その後、用途に応じて、小幅の紙シートに切断されて巻き取られた小径の小巻取に形成されたり、適宜な大きさの平判状シートの平判紙に断裁されて出荷される。平判紙として出荷する場合には、所定枚数毎の包装枚数で包装紙により包装され、包装紙には所定事項が印字されたラベルが貼付されて出荷される。この平判紙に加工するには、カッター装置において巻取や小巻取を巻き戻しながら所定の寸法に断裁して行われる。
【０００３】
巻取や小巻取から平判紙に断裁する際には、複数本の巻取等から巻き解かれた紙シートを重ねてカッターで断裁する。例えば、４本の巻取等から巻き解かれた４枚の紙シートを重畳させてカッターに供することで、一度に４枚の平判紙が加工されることになる。なお、重畳して加工する平判紙の枚数に応じて、４枚の場合を４本切り、７枚の場合を７本切り等、Ｎ枚の場合をＮ本切りと称する。
【０００４】
一方、平判紙や板紙等の取引上の単位をリームと称しており、適宜枚数の平判紙の積層体であり、包装装置に供する場合を包装リーム、断裁された平判紙が重ねられた状態をリーム山等と称している。また、平判紙に加工する際には、包装枚数単位毎に、テープを差し込んだりインクを塗布する等によってリームマークを付与している。
【０００５】
従来の平判紙包装システムを、図９に示してある。この図９に示す平判紙包装システムは４本切りのものを示しており、カッター装置１で、４本の小巻取Ｒをシート状の紙を巻き解きながら重畳させ、カッターＣによりシート状の紙を長手方向で断裁して４枚の平判紙Ｐが加工される。そして、４枚の平判紙が積層されて包装枚数単位となった位置にリームマークＭが付される。なお、この図９では、このリームマークＭはリームテープを包装枚数単位毎に挟み込むものとしてある。また、紙面に穴あきが発生している等の欠陥や不具合がある平判紙に対しては、その位置を示す指標となる欠陥マークＮが付与される。
【０００６】
前記包装枚数単位は、紙の銘柄等による場合やユーザーの希望等によって、例えば、125枚／包や250枚／包、500枚／包等とされている。このうち、125枚／包の包装リームＬを４本切りで生成する場合には、ユーザーに納入する際には包装枚数単位よりも少なくなっては不都合であるから、４×32＝128枚として、包装枚数単位よりも３枚多くして（これを、「増枚」と称する。）包装リームＬとしている。すなわち、42個の包装リームＬを生成すると、増枚した平判紙で１個分の包装リームＬを生成することができることとなる。なお、例えば、５本切りで平判紙を製造する場合には、包装リームＬを生成する際に増枚が生じない。
【０００７】
前記包装リームＬ毎にリームマークＭが差し込まれたリーム山Ｗは、平判包装機２に供されることになる。平判包装機２では、オペレータ2aがリームマークＭを参照しながら包装リームＬ毎に分離させて包装紙2bで包装し、包装された平判紙として積み重ねられて出荷に待機することになる。このとき、オペレータ2aは包装リーム給送装置2cを利用して、包装リームＬを平判包装機２に供給することにより、この供給作業を簡便に行うことができる。
【０００８】
ところで、前記欠陥マークＮが存している場合には、この欠陥等を有している平判紙は除去して包装リームＬを生成する必要がある。包装リームＬ毎にリームマークＭが付されて積み重ねられたリーム山Ｗにおいて、欠陥マークＮが少ない場合には、当該リーム山Ｗはその状態のまま前記平判包装機２に供される。オペレータ2aはこの欠陥マークＮが存している場合には、この欠陥マークＮを含んだ包装リームＬを排除して、平判包装機２に供せず、系外出しにして戻し山Ｑに積み上げる。また、欠陥マークＮがリーム山Ｗの全体に存している場合や多数の欠陥マークが含まれている場合には、当該リーム山Ｗは平判包装機２に供することなく、不良紙山Ｔとして排除して、前記戻し山Ｑと共に選別工程３において欠陥紙排除作業に供される。欠陥紙排除作業では欠陥マークＮが付された欠陥紙を排除することになり、該欠陥紙が排除された場合には包装リームＬとするには枚数が不足することになるから、リームマークＭは包装リームＬの指標とならないため、不良紙山Ｔから除去される。このため、欠陥紙が排除されたリーム山ＷにはリームマークＭが存せず、従って包装枚数単位の分離部が不明となってしまう。そこで、仕上げ検査工程５においてシートカウンタＳに供して枚数を計数し、包装リームＬ毎にリームマークＭを付与した後、前記平判包装機２に供するようにしている。
【０００９】
一方、本件出願人は、平判包装機２に包装リームＬを供する際にオペレータ2aの作業の簡便化と円滑化を図ることができるようにした給紙リーム給送装置を提案している（特許文献１参照。）。この給紙リーム給紙装置を利用することにより、平判包装機２への包装リームＬの供給を簡便に行え、包装作業に要する時間の短縮化を図ることができるようになった。
【００１０】
また、特許文献２には、スタック中のシートを計数すると共に所定計数値のときに該シート間にタブを挿入する計数及びタブ付け装置が開示されている。
【先行技術文献】
【特許文献】
【００１１】
【特許文献１】特許第４３１７０４７号公報
【特許文献２】特表２００４−５０５８７２号公報
【発明の概要】
【発明が解決しようとする課題】
【００１２】
ところで、平判包装機２への包装リームＬの供給が簡便な操作で行うことができるようになって、包装作業時間の短縮化により平判紙の生産効率を向上させることができた。しかし、前述したように、増枚が発生することは歩留まりを向上させるための支障となっており、これを改善することにより、更に生産効率を向上させることができるようになる。
【００１３】
そこで、この発明は、増枚が発生することをなくして、平判紙の製造における歩留まりの向上を果たすと共に、平判紙の製造効率の向上を図ることができる平判紙包装システムを提供することを目的としている。
【課題を解決するための手段】
【００１４】
前記目的を達成するための技術的手段として、この発明に係る平判紙包装システムは、複数本の巻取を巻き解きながら複数枚のシート状の紙を重畳させ、カッターで断裁して平判紙を製造し、包装枚数の平判紙を含む包装リームを平判包装機に包装リーム給送装置によって供給して、包装リームに包装を施す平判紙包装システムにおいて、製造された前記平判紙に対してリームマークを付与することなく山積みしたリーム山を、前記平判包装機まで搬送し、前記包装リーム給送装置で、前記リーム山の上部から平判紙の枚数をディスク式シートカウンタで計数し、包装枚数単位の枚数が計数された状態で包装リームを生成して前記平判包装機に供給することを特徴としている。
【００１５】
カッター装置で断裁して平判紙を製造したならば、リームマークを付与することなくパレット等に山積みしてリーム山を製作する。なお、欠陥紙が存する場合には、該欠陥紙の位置に欠陥マークを付与する。前記リーム山を、前記包装リーム給送装置へ搬送して、該包装リーム給送装置に提供する。
【００１６】
リーム山が搬入されたならば、前記シートカウンタによってリーム山の上部から包装される平判紙の包装枚数を計数し、包装リームを生成する。このとき、該包装リームと残余のリーム山との間に、例えば間隙ができるようにして包装リームをリーム山から分離させる。この包装リームを包装リーム給送装置によって平判包装機へ供給すれば、増枚されない包装リームを包装することができる。
【００１８】
また、前記ディスク式シートカウンタは、例えば、前記特許文献２に開示されているように、回転するディスクで平判紙のようなシート状物の枚数を計数する装置である。シートカウンタとしては、前述した従来の平判紙包装システムにおいて、仕上げ検査工程で使用されているシートカウンタを用いることができる。しかし、この仕上げ検査工程は、平判紙の包装作業ラインから外れているため、包装枚数を計数して包装リームの生成に迅速さはさほど要求されない。一方、包装作業ラインでは、迅速な包装作業を行うためには包装枚数の計数に迅速さが要求される。このため、ディスク式シートカウンタとすることにより、円滑な包装作業を阻害することなく、包装枚数を計数できる。
【００１９】
また、この発明に係る包装リーム給送装置は、カッター装置で断裁されて形成され、山積みされた平判紙のリーム山を供給し、供給されたリーム山の上部から包装枚数の包装リームを平判包装機に供給するための包装リーム給送装置において、前記リーム山の上部から包装枚数の平判紙を計数するディスク式シートカウンタと、前記シートカウンタで計数された包装枚数の平判紙により形成される包装リームを、リーム山の上部から分離させて平判包装機に供給することを特徴としている。
【００２０】
平判紙が山積みされたリーム山が供給されると、前記シートカウンタで包装枚数を計数して包装リームを生成する。生成された包装リームを残余のリーム山から分離して平判包装機へ供給すれば、包装リームが包装される。
【００２２】
また、ディスク式シートカウンタを用いて、リーム山の上部から包装枚数の平判紙を計数して、包装リームを生成するようにしたものである。
【発明の効果】
【００２３】
この発明に係る平判紙包装システムによれば、平判包装機へ平判紙を供給する際に包装枚数を計数するため、何枚切りであっても増枚が生じることがない。このため、平判紙の製造の歩留まりを向上させることができる。また、欠陥紙が存している場合には、平判包装機へ供給する際に排除した後、平判紙を計数することによるから、従来のような改めてリームマークを付与するための仕上げ検査工程を要することがなく、設備の簡素化を図ることができると共に、この仕上げ検査工程に要するオペレータが不要となって人員の削減を図ることができ、平判紙の製造コストの低減化を図ることができる。
【００２４】
また、平判包装機で欠陥紙を排除するには、本来は、欠陥紙のみあるいはその周辺の数枚だけを排除すればよいが、従来の平判紙包装システムでは、カッター装置でリームマークを付与しているため、欠陥紙を除去した後のリームは包装リームとしての枚数に不足が生じる。このため、欠陥マークを含む１リーム単位で排除することになる。これに対して、この発明に係る平判紙包装システムでは、平判包装機で包装する直前に包装枚数を計数するから、排除すべき平判紙は必要最小量で良く、排除の際の紙の絶対量が減り、仕上検査工程の欠陥紙選別の仕事量を軽減することができる。
【００２５】
また、シートカウンタにディスク式シートカウンタを用いることにより、包装枚数の計数を迅速に行って、平判紙の包装作業の円滑化を図ることができる。
【図面の簡単な説明】
【００２６】
【図１】この発明に係る平判紙包装システムの概略の構成を示す概念図である。
【図２】この発明に係る包装リーム給送装置の概略の構成を模式的に示した斜視図である。
【図３】この発明に係る包装リーム給送装置に用いるシートカウンタであって、ディスク式シートカウンタを説明する側面図である。
【図４】図３に示すディスク式シートカウンタの一部の拡大図である。
【図５】図３に示すディスク式シートカウンタの正面図である。
【図６】この発明に係る平判紙包装システムにより平判紙を包装する手順を説明するフローチャートである。
【図７】この発明に係る平判紙包装システムにより平判紙を包装する手順を説明するフローチャートであり、図６に示す手順に後続する手順を示している。
【図８】この発明に係る平判紙包装システムにより平判紙を包装する手順を説明するフローチャートであり、図７に示す手順に後続する手順を示している。
【図９】従来の平判紙包装システムを説明する図であり、図１に相当する概念図である。
【発明を実施するための形態】
【００２７】
図１にはこの発明に係る平判紙包装システムの構成図を示してあり、従来の平判紙包装システムと同様に、カッター装置１にて、小巻取Ｒから巻き解かれたシートの紙がカッターＣで断裁されて平判紙Ｐが製造される。なお、この図１では、４本の小巻取Ｒから巻き解かれた紙を重畳させて断裁する４本切りの場合を示している。製造された平判紙Ｐは積み重ねられて、リーム山Ｗが製作される。このとき、欠陥紙が発生している場合には、その箇所に欠陥マークＮが付与されることになる。なお、リーム山Ｗには、包装リームＬを示すためのリームマークＭは付与されない。
【００２８】
カッター装置１で製造された平判紙Ｐは平判包装機２に供給される。平判包装機２へはオペレータ2aにより供給されるが、このオペレータ2aの作業は、包装リーム給送装置2cを使用して行われる。なお、この包装リーム給送装置2cとしては、特許文献１に開示されている給紙リーム給紙装置を利用することができる。
【００２９】
前記包装リーム給紙装置2cによって包装リームＬが給送されるが、この包装リームＬに含まれる平判紙の枚数がシートカウンタ20により計数される。このシートカウンタ20には、図９に示した従来の平判紙包装システムの仕上げ検査工程５で利用されているシートカウンタＳを用いることができる。しかし、このシートカウンタＳは、包装リームＬの包装工程から外れた、いわゆるオフラインで使用されるものであり、必要な量の不良紙山Ｔや戻し山Ｑが形成された場合に、これら不良紙山Ｔ等からリームマークＭが除去された後に包装枚数を計数するものであるから、いわゆるバッチ方式による処理であり、このシートカウンタＳによる計数処理は短時間で行う必要はなく、多少の時間を要しても平判紙の包装作業に支障を生じないため、計数処理に迅速さを要しない。一方、前記シートカウンタ20は包装リームＬの包装枚数を計数するため、迅速に計数処理を行って包装リームＬを平判包装機２へ供給することが、包装処理を円滑に行う上で要求される。このため、シートカウンタ20には、平判紙の枚数を迅速に計数することができるディスク式のものを用いることが好ましい。
【００３０】
また、従来のシートカウンタ20では、連続して複数の平判紙の枚数を計数して、包装リームとなる位置にリームマークを付与する装置であって、包装リームの枚数を計数してその位置で動作を停止して該包装リームを区分けするには十分に適しているものではない。しかし、ディスク式シートカウンタでは、迅速な枚数の計数を行って、所望の枚数の計数が完了した位置で確実に動作を停止し、確実に包装リームを区分けすることができるので、平判包装機における包装作業にとって有利なものとなり、好ましい。
【００３１】
図２は平判紙のリーム山Ｗから包装リームＬを平判包装機２へ供給するための、包装リーム供給装置2cを模式的に示す構成図で、リーム山Ｗの上部からシートカウンタ20によって包装枚数の平判紙を計数して包装リームＬを生成し、この包装リームＬを残余のリーム山Ｗから分離させて包装リーム給送装置2cによって平判包装機２へ供給する。
【００３２】
前記ディスク式のシートカウンタ20は、図３〜図５に示すように、昇降自在で、かつ、水平面内を直角方向に移動自在に支持された支持ブラケット21に取り付けられている。他方、包装リーム給送装置2cに供給されたリーム山Ｗは図示しない支持台に載置され、この支持台の昇降によりリーム山Ｗの上面が常に包装リームＬを平判包装機２に供給するに適した作業を行える高さである給紙位置にあるようにする。すなわち、包装リームＬが平判包装機２へ供給されると、該包装リームＬの厚さに相当する分でリーム山Ｗの高さが低くなるから、前記支持台を上昇させてリーム山Ｗの上面を、給紙位置まで上昇させる。なお、作業高さは、オペレータ2aが包装リーム給送装置2cによって平判包装機２に向けて包装リームＬを押出ながら供給する作業を行いやすい高さとしてある。
【００３３】
前記支持ブラケット21は、包装リーム給送装置2cの上方に配された一対のＸ方向レール21xに摺動自在に摺動ブラケット22を摺動自在に支持させ、この摺動ブラケット22に配された一対のＹ方向レール21yに摺動自在に取り付けられている。そして、この支持ブラケット21にシリンダ23によってＺ方向に昇降自在とされたピストンロッド23aに保持ブロック24を介して前記シートカウンタ20が設けられている。なお、前記摺動ブラケット22のＸ方向レール21xに沿った摺動は、走行用サーボモータ22aの回転により行われ、支持ブラケットの21の前記Ｙ方向レール21yに沿った摺動は、横行用サーボモータ22bにより行われる。
【００３４】
また、前記支持ブラケット21にはリーム押さえシリンダ25aにより昇降して、リーム山Ｗの上面を押圧するリーム押さえ25が配されている。また、この支持ブラケット21にはリーム山Ｗの端面を検出する検出センサ等が配置されており、リーム山Ｗの端部等を検出するようにしてある。
【００３５】
ディスク式のシートカウンタ20は、前記特許文献２に記載されているように、カウンタ用のディスクが回転して、シートを１枚ずつ吸引しながら該ディスクに形成された開口部に導入してスタック中のシートから１枚のシートを分離することにより、１枚ずつを計数する。このディスク式のシートカウンタ20を用いて、リーム山Ｗの上部から平判紙の枚数を計数するようにしてあり、５個の開口部が形成されている場合には、ディスクが１回転する間に５枚の平判紙が計数される。また、シートカウンタ20により計数すべき枚数は、予め設定することができ、包装リームＬに含まれる平判紙の枚数に設定され、この枚数が計数されたならばディスクの回転が停止して、該ディスクの上方に生成された包装リームＬと残余のリーム山Ｗとに挟まれた状態となるようにしてある。
【００３６】
そして、前記包装リーム給送装置2cを前記ディスクを挟んだ位置に差し込むことで、該包装リーム給送装置2cによって包装リームＬを平判包装機２へ供給できるようにしてある。
【００３７】
以上により構成された平判紙包装システムの動作を、図１と共に、包装リーム給送装置2cの動作示す図６〜図８に示すフローチャートに基づいて、以下に説明する。
【００３８】
前述したように、カッター装置１によって製造された平判紙Ｐの所定枚数により形成されたリーム山Ｗは、平判包装機２へ供される。このとき、リーム山Ｗに多数の欠陥マークＮが付与されている場合には、平判包装機２へは供せずに、不良紙山Ｔとして選別工程３へ向けて排除される。一方、欠陥紙の存在を示す欠陥マークＮが存しない場合は勿論、少量の場合には平判包装機２へ供される。平判包装機２へ包装リームＬを供給するための包装リーム給送装置2cに搬送されたリーム山Ｗに欠陥マークＮが存している場合には、オペレータ2aは当該欠陥マークＮが付与されている平判紙Ｐを除去する。このとき、最小限の量の平判紙Ｐを排除すればよく、排除された最小限の量の平判紙Ｐは選別工程３に給送されて戻し山Ｑとされて、多数の欠陥マークＮが存するために排除された前記不良紙山Ｔと合流させる。
【００３９】
包装リーム給送装置2cに供されたリーム山Ｗの上部から包装の単位枚数となる平判紙Ｐを計数して、包装リームＬが生成されることになる。
【００４０】
リーム山Ｗの準備が完了したならば、前記シートカウンタ20によりリーム山Ｗの上部から平判紙Ｐの枚数を計数して包装リームＬを生成する。シートカウンタ20の動作が開始されると（ステップ６０１）、カウンタユニットが原点となる原位置に有るか否かが判断される（ステップ６０２）。原位置にない場合には（ステップ６０２／NO）、オペレータ2aが所定のスイッチやこのシートカウンタ20の動作を制御するコンピュータに接続された表示装置の画面に接触する等の原位置戻しスイッチを操作して（ステップ６０３）、前記走行用サーボモータ22aと横行用サーボモータ22bを駆動させ、カウンタユニットを原位置に移動させる（ステップ６０４）。
【００４１】
カウンタユニットが原位置にある場合には（ステップ６０２／YES、ステップ６０４）、リーム山Ｗを給紙位置にセットする（ステップ６０５）。すなわち、オペレータ2aのスイッチ操作等によって、駆動モータ等を作動させてリーム山Ｗを載置させた支持台を昇降させる。
【００４２】
リーム山Ｗが給紙位置にセットされたならば（ステップ６０５）、オペレータ2aがカウント位置スイッチを操作する（ステップ６０６）。これにより、原位置に位置した（ステップ６０２／YES、ステップ６０４）カウンタユニットが、リーム山Ｗの平判紙Ｐの枚数を計数するための位置に移動する（ステップ６０７）。次いで、オペレータ2aは、リームカウンタ20によって１包装リームＬの平判紙Ｐを計数するための１リームカウントスイッチを操作する（ステップ６０８）。
【００４３】
１リームカウントスイッチが操作されると（ステップ６０８）、リームカウンタ20により計数動作が開始される（ステップ７０１）。この計数動作は、ディスク式のリームカウンタ20では、ディスクを回転させながら平判紙Ｐを計数する。１包装リームＬの包装枚数が計数されたならば、当該１包装リームＬを残余のリーム山Ｗから分離させる（ステップ７０２）。この分離は、該１包装リームＬをリーム山Ｗに対してずらせばよい。次いで、カウンタユニットを、次の包装リームＬの計数に待機するためのリセット位置へ上昇させる（ステップ７０３）。その後、カウンタユニットを原位置へ移動させる（ステップ７０４）。この状態で、リーム山Ｗの上方には該リーム山Ｗの上昇に支障となるものが存しないから、前記支持台を昇降させて、リーム山Ｗから分離させた（ステップ７０４）１包装リームＬの給紙位置が適性となるように、リーム山Ｗの高さを調整する（ステップ７０５）。これら、ステップ７０２〜ステップ７０５までの操作は、平判包装機２へ給送する１包装リームＬの給送位置を認識するためのものであり、１包装リームＬに含まれる平判紙Ｐの包装枚数が計数されたことにより、該１包装リームＬの高さが決定され、この１包装リームＬを平判包装機２へ給送するのに適した位置となるように、前記支持台を昇降させて調整する。以後は、１包装リームＬの厚さに相当する高さで支持台を上昇させるようにする。これにより、リーム山Ｗの原点となる高さと支持台の上昇量とが決定される。なお、この操作は、平判紙Ｐの銘柄や坪量等の変更がある場合に行うことが必要となり、平判紙Ｐの紙質等の変更がない場合には不要である。また、１包装リームＬの厚さは平判紙Ｐの紙厚に１包装リームＬの包装枚数を乗じれば、概算値を算出することもできるので、この概算値を使ってリーム山Ｗの原点高さと支持台の上昇量を決めて差し支えない場合は、この操作を省略することもできる。
【００４４】
次いで、オペレータ2aは包装リーム給送装置2cを利用して、ステップ７０２で分離させた包装リームＬを平判包装機２へ供給する（ステップ７０６）。包装リーム１の供給作業が完了したならば、支持台を上昇させてリーム山Ｗを１包装リームＬの厚さに相当する分上昇させる（ステップ７０７）。そして、シートカウンタ20により包装枚数の計数を開始すべく、カウント位置スイッチを操作して(ステップ７０８)、カウンタユニットを、原位置から平判紙Ｐを計数するためのカウント位置まで移動させる（ステップ７０９）。カウンタユニットがカウント位置まで移動したならば、オペレータ2aは自動運転開始スイッチを操作して（ステップ７１０）、シートカウンタ20による平判紙Ｐの枚数を計数して包装リームＬを生成させる。
【００４５】
シートカウンタ20の自動運転が開始されると、リーム山Ｗの上部から平判紙Ｐを計数して１包装リームＬを生成する（ステップ８０１）。１包装リームＬが生成されたならば、オペレータ2aがこの包装リームＬを平判包装機２へ供給する（ステップ８０２）。次いで、カウンタユニットを次の計数に備えてカウンタユニットリセット位置まで上昇させる（ステップ８０３）。その後、ステップ７１５においてなされた調整に基づいて、支持台を１包装リームＬの高さで上昇させて、リーム山Ｗの上面を上昇させる（ステップ８０４）。次いで、リーム山Ｗについて、当該リーム山Ｗについて最終の包装リームＬの生成が完了したか否かを判断し（ステップ８０５）、最終の包装リームＬでない場合（ステップ８０５／NO）には前記ステップ８０１に戻って、ステップ８０５までの処理を、リーム山Ｗの全ての平判紙Ｐの計数が完了するまで繰り返す。最終の包装リームＬの計数が完了したならば（ステップ８０５／YES）、オペレータ2aは待機スイッチを操作する（ステップ８０６）。これにより、カウンタユニットは次のリーム山Ｗについて平判紙Ｐの枚数の計数に待機するため、退避位置へ移動する（ステップ８０７）。その後、オペレータ2aはリーム山Ｗの残紙と共にリーム山Ｗが載置されていたパレットを撤去し(ステップ８０８)、当該リーム山Ｗについての包装リームＬの平判包装機２の供給作業を終了する（ステップ８０９）。
【００４６】
また、前記不良紙山Ｔと戻し山Ｑとは、選別工程３において欠陥マークＮが付与された部分やハンドリングの過程で傷ついた部分などの製品にならない平判紙Ｐを選別して除去される。その後、適宜な高さのリーム山Ｗとなったならば、平判包装機２に供給すべく、包装リーム給送装置2cに送られて、包装リームＬが生成されて平判包装機２に供給されて包装されることになる。
【００４７】
以上説明した実施形態では、オペレータ2aが包装リーム給送装置2cを利用して、包装リームＬを平判包装機２に供給することにより、包装リームの供給作業を行うシステムについて説明したが、シートカウンタ20にディスク式のシートカウンタを用いる場合には１包装リームＬが確実にリーム山Ｗから区分けされた状態で形成されるから、この包装リームＬをリーム山Ｗから分離して平判包装機へ供給する装置を利用することによって、オペレータ2aによらずに、１包装リームＬを平判包装機２へ自動給紙できる。この種の自動給紙装置としては、例えば、特開２００７−２８４２０７号公報に記載された紙束送り装置があり、この紙束送り装置を用いることによって、平判紙包装システムの自動化を図ることができる。
【産業上の利用可能性】
【００４８】
この発明に係る平判紙包装システムによれば、増枚を発生させることがないため歩留まりの向上に寄与し、欠陥紙の発生により包装機で該当部分を系外出しする際のリジェクト量を１リーム単位にする必要がなく、必要際小量に抑えることができるので戻し山の選別作業量が減り、選別したリーム山にリームマークを再付与するための検査仕上げ工程を要せず、そのための人員が不要となることから、平判紙の製造コストの削減に寄与する。
【符号の説明】
【００４９】
１  カッター装置
２  平判包装機
2a  オペレータ
2b  包装紙
2c  包装リーム給送装置
20  シートカウンタ
Ｒ  小巻取
Ｍ  リームマーク
Ｌ  包装リーム
Ｎ  欠陥マーク
Ｓ  シートカウンタ
Ｔ  不良紙山
Ｑ  戻し山
Ｐ  平判紙
Ｗ  リーム山
【図１】
0005658958.tif 000002
【図２】
0005658958.tif 000003
【図３】
0005658958.tif 000004
【図４】
0005658958.tif 000005
【図５】
0005658958.tif 000006
【図６】
0005658958.tif 000007
【図７】
0005658958.tif 000008
【図８】
0005658958.tif 000009
【図９】
0005658958.tif 000010